(57)【要約】【課題】梱包及び開梱の作業性が高く、低コストな、環形蛍光ランプの包含梱包用緩衝材、及び包含梱包装置を提供する。【解決手段】環形蛍光ランプの包含梱包用緩衝材１は、保持部１０ａと、その両側に連設された側板部１０ｂとが略コの字形となるように形成される。保持部１０ａには、複数の保持溝１１が並列して形成される。保持溝１１は、大径の蛍光ランプ２ａと小径の蛍光ランプ２ｂがそれぞれ保持される保持孔１１ａと１１ｂ、及び蛍光ランプセット２を挿入するための挿入溝１１ｃとから構成される。蛍光ランプセット２は、外装箱に収納された包含梱包用緩衝材１の保持溝１１に挿入されて保持される。【選択図】図１
2010159065.tif 000002
【特許請求の範囲】
【請求項１】
大径の環形蛍光ランプの中空部に小径の環形蛍光ランプが同心円上に配置された１組の蛍光ランプセットを複数組並列して梱包するための環形蛍光ランプの包含梱包用緩衝材であって、
対向する一対の側板部と、該一対の側板部の間に設けられた上板部と、を備えるようにコの字形に形成され、
前記上板部には、前記蛍光ランプセットが前記上板部に対して垂直方向に挿入され、前記蛍光ランプセットを保持する複数の保持溝が並列して形成されている、
ことを特徴とする環形蛍光ランプの包含梱包用緩衝材。
【請求項２】
前記保持溝は、
大径の環形蛍光ランプが挿入されて保持される一対の第１の保持孔と、
小径の環形蛍光ランプが挿入されて保持される一対の第２の保持孔と、
一方の前記第１の保持孔から前記第２の保持孔を通って他方の前記第１の保持孔まで形成され、前記蛍光ランプセットの管径よりも細い幅を有する挿入溝と、
から構成され、
前記第１の保持孔と、前記第２の保持孔と、前記挿入溝とにより前記上板部に形成されている凸部は、前記蛍光ランプセットの出し入れを許容する範囲で可撓変形可能である、
ことを特徴とする請求項１に記載の環形蛍光ランプの包含梱包用緩衝材。
【請求項３】
請求項１または２に記載の環形蛍光ランプの包含梱包用緩衝材に保持された複数の前記蛍光ランプセットを収納している、
ことを特徴とする環形蛍光ランプの包含梱包装置。
【発明の詳細な説明】
【技術分野】
【０００１】
本発明は、外径の異なる複数の環形蛍光ランプの包含梱包用緩衝材、及びこれを収容した包含梱包装置に関する。
【背景技術】
【０００２】
従来、環形蛍光ランプの梱包においては、市販用に個別包装にするものと、照明器具メーカーなどへ製品を届けるための簡易梱包の形態がある。また、製品梱包として、１種類ごとに単品梱包する場合と、大きさの異なる品種を組み合わせる梱包（以後、包含梱包という）がある。
【０００３】
環形蛍光ランプにおける包含梱包は、サイズの大きな蛍光ランプの環の内側の空洞部分に、それより小さい環形蛍光ランプを収めることで、単体をそれぞれ梱包するより容積が小さくでき、保管や運搬の効率がよい。
【０００４】
上述したような照明器具メーカー等への運送用の簡易梱包であって、外径の異なる環形蛍光ランプの包含梱包の例として、特許文献１では、略十字形の梱包紙の中心に小径蛍光ランプを配置し、梱包紙の対向する側板部を小径蛍光ランプを包むように折り曲げ、折り曲げられた側板部と内接するように大径蛍光ランプを配置する環形蛍光ランプの梱包装置が記載されている。
【０００５】
しかし、特許文献１に記載された環形蛍光ランプの梱包装置では、大径の蛍光ランプと小径の蛍光ランプを包含梱包した後に、複数の包含梱包された蛍光ランプ包含梱包体を外装箱に収納するため、蛍光ランプの梱包作業、及び蛍光ランプの取り出し作業に時間がかかり、費用も多くかかる。
【先行技術文献】
【特許文献】
【０００６】
【特許文献１】特開２０００−００７０７２号公報
【発明の概要】
【発明が解決しようとする課題】
【０００７】
本発明はかかる問題点に鑑みてなされたものであって、梱包及び開梱の作業性が高く、低コストな、環形蛍光ランプの包含梱包用緩衝材、及び包含梱包装置を提供することを目的とする。
【課題を解決するための手段】
【０００８】
上記目的を達成するため、本発明の第１の観点に係る環形蛍光ランプの包含梱包用緩衝材は、大径の環形蛍光ランプの中空部に小径の環形蛍光ランプが同心円上に配置された１組の蛍光ランプセットを複数組並列して梱包するための環形蛍光ランプの包含梱包用緩衝材であって、対向する一対の側板部と、該一対の側板部の間に設けられた上板部と、を備えるようにコの字形に形成され、前記上板部には、前記蛍光ランプセットが前記上板部に対して垂直方向に挿入され、前記蛍光ランプセットを保持する複数の保持溝が並列して形成されている、ことを特徴とする。
【０００９】
また、本発明の第２の観点に係る環形蛍光ランプの包含梱包装置は、環形蛍光ランプの包含梱包用緩衝材に保持された複数の前記蛍光ランプセットを収納していることを特徴とする。
【発明の効果】
【００１０】
本発明によれば、梱包及び開梱の作業性が高く、低コストな、環形蛍光ランプの包含梱包用緩衝材及び包含梱包装置を提供できる。
【図面の簡単な説明】
【００１１】
【図１】（ａ）は、本実施形態の包含梱包用緩衝材の展開図、（ｂ）は、斜視図である。
【図２】図１（ｂ）のＩ−Ｉ線での断面図である。
【図３】（ａ）〜（ｃ）は本実施形態の包含梱包用緩衝材及び包含梱包装置の梱包時の斜視図である。
【発明を実施するための形態】
【００１２】
以下、本発明の実施形態に係る環形蛍光ランプの包含梱包用緩衝材１を、図を参照して説明する。
【００１３】
図１（ａ）に示すように、本実施形態の包含梱包用緩衝材１は、例えば段ボール紙やボール紙等からなる厚紙１０である。厚紙１０は、環形蛍光ランプが保持される保持部１０ａと、梱包時に折り曲げられて保持部１０ａを支持する２つの側板部１０ｂとから構成されている。この側板部１０ｂの高さ方向の長さは、図２に示すように大径の蛍光ランプ２ｂの外径の２分の１の長さと同じか、それよりも長い。また、包含梱包用緩衝部材１は、１０本の保持溝１１と、２本の折り線１２とを備える。
【００１４】
保持溝１１は、図１（ｂ）に示すように、大径の蛍光ランプ２ａ内部に小径の蛍光ランプ２ｂが配置された蛍光ランプセット２が挿入されて保持されるために、保持部１０ａに形成されている溝である。保持溝１１に挿入された蛍光ランプセット２と、その保持溝１１に隣接する保持溝１１に挿入された蛍光ランプセット２とが接触しないように、１０本の保持溝１１は互いに所定の距離だけ離れて平行に形成されている。また、保持溝１１は、大径の蛍光ランプ２ａを保持するための２つの保持孔１１ａと、小径の蛍光ランプ２ｂを保持するための２つの保持孔１１ｂと、蛍光ランプセット２を挿入するための挿入溝１１ｃとから構成される。
【００１５】
保持孔１１ａ及び１１ｂは、１辺の長さが大径の蛍光ランプ２ａ及び小径の蛍光ランプ２ｂの管径と同程度の長さを有する略矩形の孔である。蛍光ランプセット２がほぼその中心位置で保持溝１１により保持されるように、２つの保持孔１１ａは、互いに大径の蛍光ランプ２ａの直径と同じ距離だけ離れて位置し、２つの保持孔１１ｂは、互いに小径の蛍光ランプ２ｂの直径と同じ距離だけ離れて位置する。
【００１６】
挿入溝１１ｃは、保持孔１１ａ及び１１ｂを一直線上で連結するように形成されている。挿入された蛍光ランプセット２が保持溝１１から容易に抜けることを防ぐため、挿入溝１１ｃの幅は、大径の蛍光ランプ２ａ及び小径の蛍光ランプ２ｂの管径よりも小さい。このため、保持孔１１ａ、保持孔１１ｂ、及び挿入溝１１ｃにより形成される突出部１１ｄは、蛍光ランプセット２が上側から保持溝１１に挿入される際に、下側に向かって屈曲する。その後、蛍光ランプセット２が中心位置まで挿入されると、突出部１１ｄはその弾性力によりもとの位置に戻る。
【００１７】
２本の折り線１２は、保持溝１１を間に挟んで互いに平行に形成されている。そして、厚紙１０は、この折り線１２で折り曲げることができる。
【００１８】
次に、本実施形態の包含梱包用緩衝材１を使用した包含梱包について説明する。
【００１９】
まず、図３（ａ）に示すように、厚紙１０は包含梱包用緩衝材１がコの字型を形成するように折り線１２に沿って折り曲げられる。
【００２０】
次に、図３（ｂ）に示すように、包含梱包用緩衝材１は、支持部１０ｂが保持部１０ａの下側に位置する向きで、例えば段ボール紙等から形成される外装箱３に収納される。
【００２１】
そして、図３（ｃ）に示すように、大径の蛍光ランプ２ａの内側に小径の蛍光ランプ２ｂを配置した状態で、複数の蛍光ランプセット２が、外装箱３内にある包含梱包用緩衝材１の保持溝１１に挿入される。このとき、大径の蛍光ランプ２ａ及び小径の蛍光ランプ２ｂは、それぞれ保持孔１１ａ及び１１ｂと嵌合するまで挿入される。
【００２２】
以上のようにして、蛍光ランプセット２は、包含梱包用緩衝材１により保持された状態で外装箱３に収納・封緘され、１つの包含梱包装置４が構成される。
【００２３】
本実施形態の包含梱包用緩衝材は、１枚の厚紙に複数の保持溝と、２本の折り線を形成するだけで作成することが可能であり、製造にかかるコストが低い。また、折り線にそって折り曲げるだけで組み立てることが可能であり、組み立てが単純かつ容易である。
【００２４】
また、蛍光ランプを収納または取り出す際には、大径の蛍光ランプと小径の蛍光ランプを一体として保持溝に挿入または引き抜くことで、収納・取り出しが可能である。さらに、包含梱包装置が構成されている状態から蛍光ランプを取り出す際に、包含梱包用緩衝材を外装箱から取り出すことなく蛍光ランプを取り出すことができる。従って、蛍光ランプの収納・取り出し作業が容易である。
【００２５】
なお、本発明は、上記の実施形態に限定されず、種々の変形及び応用が可能である。本実施形態では、外装箱３に１０組の蛍光ランプセット２が梱包されることを想定して、保持部１０ａに１０本の保持溝１１が形成されているが、保持溝の本数は外装箱に梱包したい蛍光ランプセットの組数に合わせて増減させてもよい。
【００２６】
また、本実施形態では、保持孔１１ａ及び１１ｂは略矩形に形成されているが、蛍光ランプの管径と等しい径を有する円形であってもよい。
【００２７】
また、本実施形態では、包含梱包用緩衝材１として厚紙１０を用いたが、回収して繰り返し利用することができる樹脂製材料を用いてもよい。
【符号の説明】
【００２８】
１      包含梱包用緩衝材
１０    厚紙
１０ａ  保持部
１０ｂ  側板部
１１    保持溝
１１ａ  保持孔
１１ｂ  保持孔
１１ｃ  挿入溝
１１ｄ  突出部
１２    折り線
２      蛍光ランプセット
２ａ    大径の蛍光ランプ
２ｂ    小径の蛍光ランプ
３      外装箱
４      包含梱包装置
【図１】
2010159065.tif 000003
【図２】
2010159065.tif 000004
【図３】
2010159065.tif 000005